(57)【要約】【課題】温度監視に基づく冷却方式設定について、輻射冷却式の設定期間の割合を増加させ得る冷凍冷蔵庫を提供する。【解決手段】本実施例に係る輻射材は、伝熱性材料を介して、サクションパイプへ熱的に接続されることとなる。従って、輻射材１３１ａ，１３３とサクションパイプ２１との間に、伝熱経路が形成されることとなる。そして、サクションパイプ２１の温度が野菜室用の設定温度近傍とされることから、輻射材１３１ａ，１３３の温度は、青果物を輻射冷却するにあたり好適な温度とされ、これが長時間維持されることとなる。このため、冷凍冷蔵庫１００では、野菜室での温度上昇が抑えられることに伴い、輻射冷却式による設定時間が増加し庫内湿度が保全される。【選択図】図５
2014153018.tif 000002
【特許請求の範囲】
【請求項１】
冷媒回路の冷媒循環量を変化させる冷却機用コンプレッサと、庫内の被冷却流体から熱を吸収するエバポレータと、前記エバポレータから前記冷却機用コンプレッサまでの区間に設けられ前記冷媒回路の一部を構成するサクションパイプと、冷蔵室温度又は野菜室温度へ設定可能な輻射冷却式冷蔵室に配備された輻射材と、を備え、
前記輻射材は、前記サクションパイプに対し、直接又は伝熱性材料を介して接続されることを特徴とする冷凍冷蔵庫。
【請求項２】
前記サクションパイプの少なくとも一部区間は、冷気経路であるダクト部に配置されることを特徴とする請求項１に記載の冷凍冷蔵庫。
【請求項３】
前記サクションパイプは、冷気経路に設けられた金属塊を介して、前記輻射材へ熱的に接続されていることを特徴とする請求項１又は請求項２に記載の冷凍冷蔵庫。
【請求項４】
前記金属塊は、潜熱温度をＴ℃とした場合に「５℃≦Ｔ≦１２℃」とされる蓄熱材を内部に備えてなることを特徴とする請求項３に記載の冷凍冷蔵庫。
【発明の詳細な説明】
【技術分野】
【０００１】
本発明は、冷凍冷蔵庫に関し、特に、輻射冷却式冷蔵室での冷気流量が調節可能な冷凍冷蔵庫に関する。
【背景技術】
【０００２】
特開２００１−３４３１８０号公報（特許文献１）では、ファンクール式（循環冷却式）の設定と壁面冷却式（輻射冷却式）の設定とを選択可能とさせた冷凍冷蔵庫が紹介されている。かかる技術では、扉が開けられると冷却方式をファンクール式に設定し、扉が閉じられると冷却方式を壁面冷却式へ切換える制御を行う。
【０００３】
通常、冷凍冷蔵庫では、扉の開成中に冷気が逃げてしまうので、扉の閉成直後の庫内温度は上昇してしまう。従って、特許文献１の技術によれば、扉が閉成されると直ぐに冷却能力の劣る壁面冷却式へ切換えられてしまう為、庫内温度が設定温度へ戻るまで時間が掛かり、庫内貯蔵物の保存状態を悪化させる惧れがある。特に、輻射冷却式冷蔵室が野菜室として用いられる場合、其の問題は深刻なものとなる。
【０００４】
ここで、輻射冷却式冷蔵室へ青果物を貯蔵させる場合、ファンクール式又は壁面冷却式の何れの方式に設定するかを庫内温度に基づいて選択すれば、扉の閉成後にも輻射冷却方式が導入され、青果物の鮮度維持を図る上で有用となり得る（温度監視に基づく冷却方式設定）。
【先行技術文献】
【特許文献】
【０００５】
【特許文献１】特開２００１−３４３１８０号公報
【発明の概要】
【発明が解決しようとする課題】
【０００６】
しかしながら、「温度監視に基づく冷却方式設定」に関する技術では、主として庫内温度に基づいて冷却方式の設定選択が行われるので、熱負荷が大きければファンクール式（循環冷却式）に設定される時間的割合が高くなり、湿度の保全効果を期待できなくなるとの問題が生じる。
【０００７】
本発明は上記課題に鑑み、温度監視に基づく冷却方式設定について、輻射冷却式の設定期間の割合を増加させ得る冷凍冷蔵庫の提供を目的とする。
【課題を解決するための手段】
【０００８】
上記課題を解決するため、本発明では次のような冷凍冷蔵庫の構成とする。即ち、冷媒回路の冷媒循環量を変化させる冷却機用コンプレッサと、前記冷媒回路の冷媒圧力を減圧させるキャピラリ―チューブと、前記キャピラリ―チューブから供給された冷媒を蒸発させ庫内の被冷却流体から熱を吸収するエバポレータと、前記エバポレータから前記冷却機用コンプレッサまでの区間に設けられ前記冷媒回路の一部を構成するサクションパイプと、冷蔵室温度又は野菜室温度へ設定可能な輻射冷却式冷蔵室に配備された輻射材と、を備え、
前記輻射材は、前記サクションパイプに対し、直接又は伝熱性材料を介して接続されることとする。
【０００９】
好ましくは、前記サクションパイプの少なくとも一部区間は、冷気経路であるダクト部に配置されることとする。
【００１０】
好ましくは、前記サクションパイプは、冷気経路に設けられた金属塊を介して、前記輻射材へ熱的に接続されていることとする。
【００１１】
好ましくは、前記金属塊は、潜熱温度をＴ℃とした場合に「５℃≦Ｔ≦１２℃」とされる蓄熱材を内部に備えてなることとする。
【発明の効果】
【００１２】
本発明に係る冷凍冷蔵庫によると、輻射材の温度が輻射冷却式冷蔵室での設定温度近傍に長時間維持されるので、輻射冷却式による設定期間の割合が高くなり、青果物（貯蔵物）等の鮮度維持に貢献する。
【００１３】
また、野菜室での熱負荷が大きい場合、サクションパイプが其の熱量を吸収することになるので、冷却機用コンプレッサの直前までの冷媒は、比エンタルピーが増加することとなる。これによれば、冷媒の熱力学的状態が過熱蒸気域に達し易くなるので、冷却用コンプレッサへの「液戻り」、ショック音、及び、振動といった不具合を回避できる。
【図面の簡単な説明】
【００１４】
【図１】実施の形態に係る冷凍冷蔵庫の断面構造を示す図。
【図２】実施の形態に係る経路遮断部の構成を示す図。
【図３】冷気の循環状態を示す図。
【図４】実施例１に係る冷凍冷蔵庫の断面構造を示す図。
【図５】実施例２に係る冷凍冷蔵庫の断面構造を示す図。
【図６】実施例２に係る冷凍冷蔵庫の熱力学状態を示すモリエル線図。
【発明を実施するための形態】
【００１５】
以下、本発明に係る実施の形態につき図面を参照して具体的に説明する。図１は、本実施の形態に係る冷凍冷蔵庫の断面構造が示されている。図示の如く、冷凍冷蔵庫１００は、内部に断熱材を充填させた天板断熱パネル１０１，背面断熱パネル１０２，及び，底板断熱パネル１０３が組合わされ、内部に貯蔵空間を有する矩形体が形成されている。この貯蔵空間では、断熱性を有する間仕切部１０４、背面内部パネル１４０ａ〜１４０ｂ、中仕切部１５０を備えている。このうち、間仕切部１０４は冷凍室と冷蔵室との間に設けられ、中仕切部１５０は冷蔵室と野菜室との間に設けられる。即ち、本実施の形態に係る冷凍冷蔵室１００は、天板側から順に、冷凍室１１０，冷蔵室１２０，野菜室１３０がレイアウトされている。
【００１６】
冷凍室１１０の開口部には、開閉可能な冷凍扉１１１が設けられ、室内側にはドアポケットが設けられている。また、冷凍室１１０の庫内背面側には、背面内部パネル１４０ａと背面断熱パネル１０２との間に背面ダクト１７０（特許請求の範囲におけるダクト部）が形成され、当該背面ダクト１７０には、エバポレータ２０及び撹拌ファン１０が配備されている。また、背面内部パネル１４０ａは、所定距離を隔てて連通孔１４１，１４２が形成されており、これらの間に仕切板１１２が設けられる。図示の如く、冷凍室１１０では、撹拌ファン１０によって連通孔１４１から室内冷気Ａｆが供給され、室内冷気Ａｆが仕切板１１２の端部まで導かれ、その室内冷気Ａｆが連通孔１４２へ戻される。このように、本実施の形態に係る冷凍室は、主として室内冷気の循環によって貯蔵物を冷却させる循環冷却式貯蔵室であって、約−１８℃程度の冷凍用温度に設定される。
【００１７】
図示の如く、本実施の形態では、一の開口部に対応して冷蔵室１２０及び野菜室１３０が設けられる。このうち、冷蔵室１２０は、仕切板１２２と背面内部パネル１４０ｂとが設けられ、更に、開閉自在な冷蔵扉１２１（開閉扉）のドアポケット１２１ａ及び１２１ｂが其の内部へ収容される。冷蔵室１２０では、自然対流によって室内冷気Ａｒが連通孔１４３から供給され、その室内冷気Ａｒは、仕切板１２２の端部まで導かれてから、連通孔１４４へ戻される。このように、本実施の形態に係る冷蔵室１２０も、主として室内冷気の循環によって貯蔵物を冷却させる循環冷却式貯蔵室であって、ここでは、約３℃〜５℃程度の冷蔵用温度に設定される。
【００１８】
野菜室１３０には、上部に開口を有する樹脂製の野菜トレイ１３１，１３２が設けられている。このうち、野菜トレイ１３１は、外周の一部に輻射板１３１（特許請求の範囲における輻射材）を覆わせた形態を成し、輻射板１３１ａの一部が内部で露出されるよう適宜工夫されている。また、野菜トレイ１３１と野菜トレイ１３２との間には、平板状の輻射板１３３（特許請求の範囲の輻射材）が設けられている。これら輻射材は、銅材またはアルミ材など熱伝導性の高い材質が用いられる。このように、野菜室１３０は、輻射材を庫内空間に適宜配備されたものであって、其の輻射冷却作用を用いて貯蔵物を冷却させる輻射冷却式冷蔵室である。また、本実施の形態に係る野菜室１３０では、庫内温度が５℃〜１２℃といった野菜貯蔵用温度に設定される。但し、これが上述した冷蔵用温度に近い温度へ設定されるものであっても良い。
【００１９】
野菜室１３０では、其の庫内空間に様々な室内冷気の冷気経路が形成され得る。例えば、野菜トレイ１３１のトレイ内部を通過する経路，野菜トレイ１３１と背面断熱パネル１０２との隙間を経由し野菜トレイ１３２のトレイ内部を通過する経路，輻射板１３３と野菜トレイ１３１（輻射板１３１ａを含む）との隙間を通過する経路，その他，野菜トレイの脇や底部を通過する経路，等が形成される。
【００２０】
尚、室内冷気とは、貯蔵物を配置する空間（庫内空間）に分布する冷気を指すものであり、この意味において、貯蔵物を配置しない空間（例えば、背面ダクト等）に分布する冷気とは区別される。
【００２１】
中仕切部１５０（特許請求の範囲における仕切部）の背面側では、冷気導引経路１８１を介して背面ダクト１７０と野菜室１３０の庫内空間とが連通され、背面ダクト１７０から与えられた冷気Ａｄを野菜室１３０へ供給可能とさせている。そして、野菜室直前まで導かれた冷気（導引冷気）は、野菜室１３０にて様々な経路に分枝して、青果貯蔵物・輻射板等を其の経路に応じて冷却させていく。
【００２２】
中仕切部１５０（特許請求の範囲における仕切部）の前面側では、ドアポケット１２１ｂとの間に冷気戻し経路１８２が形成され、当該冷気戻し経路１８２によって野菜室１３０と冷蔵室１２０とを連通させている。冷気戻し経路１８２では、野菜室内の冷気を此処で合流させ、其の戻し冷気Ａｖ６（室内冷気の一形態）は、冷蔵室を循環する室内冷気Ａｆと供に背面ダクト１７０へ導かれる。尚、本実施の形態では、ドアポケット１２１ｂと中仕切部１５０の端との対抗箇所で冷気戻し経路１８２が形成されている。但し、ドアポケットが無い場合には、冷蔵扉１２１の庫内側表面と中仕切部１５０の端との対抗箇所で冷気戻し経路１８２が形成されることとなる。このように、ドアポケット又は扉の庫内側表面といった扉の庫内に形成される構造は、何れも、特許請求の範囲における庫内構造に含まれるものである。
【００２３】
このような冷凍冷蔵庫１００は、エバポレータ２０，冷却機用コンプレッサ３０，この他，凝縮器，キャピラリ―チューブ，によって冷媒回路が形成される。当該冷媒回路では、冷媒が循環する際、冷媒の凝縮・蒸発を繰り返すヒートポンプサイクルによって冷却作用を得ている。このうち、冷却機用コンプレッサ３０は、コンプレッサ用モータの回転数に応動して冷媒循環量を変化させる。凝縮器では、冷媒の熱量を外部へ放出させ、冷媒を液相（又は、液相及び気相の混相状態）へ変化させる。キャピラリ―チューブでは、絞り膨張させる経路を冷媒が通過することで、チューブ管内での冷媒圧を低下（減圧）させる。エバポレータ２０は、キャピラリ―チューブから供給された冷媒が蒸発し、この際、庫内の流動冷気（被冷却流体）から熱を吸収し庫内の流動冷気を冷却する。
【００２４】
そして、この冷凍冷蔵庫１００にはマイコン等を具備する制御回路（図示なし）が設けられ、当該制御回路は、冷却機用コンプレッサ３０やファンモータ１０といった装置を適宜制御させることで、各庫内温度を適正温度に調整制御させている。このような制御では、各室に設けられた温度計（図示なし），又は，開閉扉の開閉状態を検出する開閉検出素子（図示なし），等から得られる情報が用いられる。
【００２５】
本実施の形態に係る冷凍冷蔵庫１００は、図２に示す如く、導引冷気制限部１６３と戻し冷気制限部１６１とが設けられる。導引冷気制限部１６３は、冷気導引経路１８１に設けられ、当該経路の経路断面積を変化させるよう経路断面の開度変更が可能である。また、戻し冷気制限部１６１は、冷気戻し経路１８２に設けられ、当該経路の経路断面積を変化させるよう開度変更が可能である。かかる制限部１６１，１６３は、それぞれ操作部が設けられ独立して各々の開度を調節できるようにしても良い。また、これらの制限部を電気的に制御できるようにしてもよい。
【００２６】
図３（ａ）に示す如く、双方の経路断面の開度が０％近傍まで絞られると、導引冷気も戻し冷気も遮断されることとなる。従って、野菜室１３０の庫内空間には、冷気が殆ど流れなくなる。即ち、この場合には、冷却作用の殆どが輻射冷却に委ねられることとなる。この場合、野菜室１３０では、青果貯蔵物の周辺湿度が低下されずに済み、当該青果物の鮮度を好適に維持できる。
【００２７】
一方、図３（ｂ）に示す如く、双方の経路断面の開度によって、導引冷気及び戻し冷気が流動可能となり、例えば、「１８１→Ａｖ１→１８２→Ａｖ６（第１トレイ冷却ルート）」，「１８１→Ａｖ２→Ａｖ４→Ａｖ５→１８２→Ａｖ６（第２トレイ冷却ルート）」，「１８１→Ａｖ２→Ａｖ３→Ａｖ５→１８２→Ａｖ６（輻射板冷却ルート）」，この他、様々な冷却ルートを冷気が通過することとなる。経路断面の開度が１００％に設定される場合、野菜室１３０では、室内冷気の流動形成によって、野菜室１３０に流動冷気が最大限導入された循環冷却が行われる（図３ｂ参照）。この場合、野菜室１３０では、急激な温度上昇に対して、即座に温度を適正値へ戻すような温度制御が可能となる。
【００２８】
尚、上述した冷却ルートの他、冷蔵室と野菜室との間にダクトを設け、其のダクト壁での輻射熱を利用して冷却効果を発生させるようにしても良い。この場合、ダクト壁の全部又は一部が金属製の輻射板とされ、当該輻射板が野菜室に露出するように配置される。
【００２９】
また、経路断面を中間的な開度に設定するよう、導引冷気制限部１６３及び戻し冷気制限部１６１の両方，若しくは，導引冷気制限部１６３又は戻し冷気制限部１６１の何れか一方を調節操作するようにしても良い。この場合、冷却効果をある程度確保させつつ、併せて、青果物の鮮度低下を一定範囲に抑えるといった調節が可能となる。特に、導引冷気制限部１６３を予め適正開度へ設定しておけば、利用者にとって手前側の戻し冷気制限部１６１の操作のみで済むので、扉の開放時間を短縮でき、結果として、野菜室１３０に流れる冷気流量を低く設定させることができる。
【００３０】
このように、野菜室１３０では、導引冷気制限部１６３及び戻し冷気制限部１６１の開度調節によって、此処を通過する冷気流量を適宜に調整することが可能となる。従って、本実施の形態に係る冷凍冷蔵庫１００によると、野菜室１３０では、熱負荷に応じて冷気流量が調節されることで、温度制御に係る応答性が維持されると供に、当該室内へ格納された貯蔵物の鮮度低下が最小限に抑えられる。
【００３１】
また、制限部１６１，１６３の開度を低下させる場合、循環冷却作用によって輻射板が十分に冷却されているので、輻射冷却（開度０％）に切換えられても、其の輻射板は十分な冷却作用を発揮できる。
【００３２】
また、本実施の形態に係る冷凍冷蔵庫１００によると、中仕切部１５０とこれに対面する冷蔵扉１２１の庫内構造との間に、冷気戻し経路１８２が形成される。即ち、非常に簡素な構成で、冷気戻り経路１８２を形成させることが可能となる。
【００３３】
特に、冷蔵扉１２１の庫内構造をドアポケット１２１ｂとすることで、冷気戻し経路１８２を広すぎず狭すぎず適度な断面積とすることが可能となる。従って、戻し冷気制限部１６１の大きさを無用に肥大化させずに済む。
【００３４】
また、冷気戻し制限部１６１は、中仕切部１５０の形成面のうち、冷蔵扉１２１へ対面する部位（前面側化粧面１５５）に設けられる。かかる前面側化粧面１５５は、当然の如く冷蔵貯蔵物を配置させる場所ではないので、貯蔵物配置面１５４（食品貯蔵物を配置させる領域）で如何に冷蔵貯蔵物を配置させても、冷気戻し制限部１６１の動作が妨げられることは無い。
【００３５】
特に、本実施の形態に係る冷気戻し制限部１６１は、前面側化粧面１５５からスライド動作して水平方向に運動する機構とされ、言換えると、貯蔵物配置面１５４に対しスライド動作する。従って、当該冷気戻し制限部１６１の動作は、貯蔵物配置面１５４の貯蔵物に干渉することはなく、当該貯蔵物の配列を乱したりするようなこともない。
【００３６】
ここで、冷気戻し制限部１６１とドアポケット１２１ｂとの接近部は、完全な密閉状態が要求されるものではない。ここでは、冷気の流れを考慮して、双方の構造の重なり具合を適宜設定すると良い。従って、このように気流の流れが検討されていれば、冷気戻し制限部１６１とドアポケット１２１ｂとの接近部では、パッキン等の部品を省略できる。
【００３７】
また、図２に示す如く、本実施の形態に係る冷凍冷蔵庫１００は、径の異なるドラム１６５，１６６を一体化させたリンク機構が用いられている。かかるリンク機構は、各制限部１６１，１６３が板状体とされ、其の一方１６１がリンクアーム１６２を介して大型ドラム１６５に接続されている。また、他方１６３がリンクアーム１６４を介して小型ドラム１６６に接続されている。これらのリンクアームは、各節において回動可能とされ、ドラムの回転位置に応じて各制限部１６１，１６３へ押出力または引戻力を与える。そして、このリンク機構では、双方のドラムが一体化されているので、一の動作で双方の制限部１６１及び１６３が同時に操作されることとなる。
【００３８】
このように、本実施の形態に係る制限部１６１，１６３は、一の操作で双方調整させ得るリンク機構が設けられているので、これを手動調節させる場合、冷蔵扉１２１の開放時間を短縮できる。また、モーター等のアクチュエータを用いてこのリンク機構を操作させる場合には、一のアクチュエータによって制限部１６１，１６３を動作できることになり（自動制御）、装置の簡素化・低コスト化が図られることとなる。また、他の例として、冷気導引制限部１６３と冷気戻し制限部１６１との各々にアクチュエータを設けて、自動制御させることも考えられる。この場合、各々のアクチュエータが、これに対応する制限部１６１，１６３を動作させることとなる。
【実施例１】
【００３９】
図４は、本実施例に係る冷凍冷蔵庫１００の野菜室近傍断面図が示されている。尚、本実施例における変更点以外の構成については、実施の形態の各種構成と同一であるため、上述での同一構成については説明を省略することとする。
【００４０】
図示の如く、当該冷凍冷蔵庫１００は、冷気導引制限部１６３の直後に金属塊２００が設けられ、背面断熱パネル１０２又は側面断熱パネル（図示なし）に固定されている。かかる金属塊２００は、熱伝導性の高い材質（銅材，アルミ材等）が好ましく、熱容量を確保するため輻射板１３１ａ，１３３と同等か其れ以上の体積を有しているのが良い。尚、本実施例では、金属塊２００が略円柱形状とされている。
【００４１】
本実施例では、金属塊２００にブラケット２１０が固定され、当該ブラケット２１０は、中断部にガイドレール１９０が固定され、下段部に輻射板１３３が固定されている。また、ガイドレール１９０は、輻射板１３１ａの舌片部がベアリング１９１を介して載置させ、この輻射板１３１ａをレール方向に摺動自在とさせている。尚、ガイドレール１９０及びベアリング１９１にあっても、熱伝導性の高い材質が好ましく、銅材，アルミ材，この何れかを用いた合金材であるのが好ましい。また、これらの構成については、高熱伝導性樹脂材を用いても良い。以下、伝熱性材料と呼ぶ場合、銅材又はアルミ材といった伝熱性の高い金属製材料、この他、高熱伝導性樹脂材といった伝熱効果に資する機能性材料を指すものとする。
【００４２】
この金属塊２００，ブラケット２１０，及び，ガイドレール１９０は、冷気の通気経路に設けられるので、循環冷却としての冷気が流れている際、これらの構造が冷却される。一方、これらの構造は、輻射冷却のみの設定へ切換えられると、循環冷却の際に冷却されたエネルギー状態を利用して、トレイ内の青果物に輻射冷却効果を与える。
【００４３】
このように、本実施例によると、金属塊２００から輻射板へ至る経路の全てが高熱伝導性の材質によって構成される為、金属塊２００と輻射板とが接続された際に熱的な伝路が十分確保されることとなる。そして、金属塊２００での熱容量は十分確保されるよう設計されているので、この構造は、輻射板で熱量を受けると、金属塊２００に向けて其の冷却に十分な熱勾配が形成される。従って、青果物から受けた輻射熱はこの構造を介して金属塊２００へ効果的に伝達され、これにより、青果物は、この構造により与えられる輻射冷却作用によって、効果的に冷却されることとなる。
【００４４】
尚、本実施例に係る金属塊２００について、以下のような変更を加えても良い。変更例に係る金属塊２００は、内部に蓄熱材を備えた２層構造とされる。この蓄熱材は、潜熱温度をＴ℃とすると、「５℃≦Ｔ≦１２℃」の範囲となるような材質が選択される。
【００４５】
かかる構成とされた金属塊２００では、蓄熱材が相変態（固相→液相）する現象で熱量が必要となるため、蓄熱材へ供給された熱量がこの相変態で消費されることとなる。このため、輻射冷却に切換えられた場合、金属塊２００は流動冷気による冷却は行われなくなるものの、蓄熱材の相変態によって潜熱温度に維持されることとなる。従って、輻射板から金属塊２００へ至る温度勾配が所定時間維持されることとなり、この間における輻射冷却作用が低下されずに済む。
【実施例２】
【００４６】
図５は、本実施例に係る冷凍冷蔵庫１００の断面構造図が示されている。尚、本実施例では、先の実施例１に対する変更点以外の構成については、同実施例の各種構成と同一であるため其の説明を省略することとする。また、実施の形態で既に説明された構成についても、同様に説明を省略する。
【００４７】
尚、本実施例に係る冷凍冷蔵庫１００は、輻射冷却方式か循環冷却方式かの何れの冷却方式か、野菜室１３０の庫内温度に基づいて制御装置による制御が行われる。かかる制御は、冷気経路での開度が全開または全閉に択一的制御されるものであっても良く、更に、半開状態を適宜選択するような制御であっても良い。このように、本実施例では、「発明が解決しようとする課題」にて説明した「温度監視に基づく冷却方式設定」が、制御装置によって実施されることとなる。
【００４８】
本実施例では、サクションパイプ２１が金属塊２００に接続されている点で、実施例１の構成と異なる。具体的に説明すると、サクションパイプ２１は、エバポレータ２０の出口から金属塊２００へ配設され、配管の表面と金属塊２００とが接触するよう固定される。また、サクションパイプ２１の一部区間は、背面ダクト１７０から背面断熱パネル１０２の内部を通り、冷却機用コンプレッサ３０に接続される。図示の如く、背面断熱パネル１０２の内部では、サクションパネル２１にキャピラリ―チューブ５０を併設させる区間が設けられる。このキャピラリ―チューブ５０は、上述したように、冷媒回路の一構成であって、凝縮器とエバポレータ２０との間に設けられる配管である。
【００４９】
上述の如く、サクションパイプ２１は、エバポレータ２０から冷却機用コンプレッサ３０までの区間に設けられる配管であって、冷媒回路の一部を構成する配管である。当該サクションパイプ２１は、其の区間の全区間又は一部区間に設けられるものであって、冷凍冷蔵庫１００の運転に伴い表面温度が＋１０℃程度となる。
【００５０】
本実施例に係る輻射材は、ブラケット２１０，ガイドレール１９０，ベアリング１９１，及び，金属塊２００といった伝熱性材料を介して、サクションパイプ２１へ熱的に接続される。特に、金属塊２００とサクションパイプ２１は、双方が金属製の材料とされるので、溶接接合またはボルト・ナット等によって、熱的な伝達経路を容易に形成させることができる。その意味で、金属塊２００は、サクションパイプ２１との接触面積を十分に確保できるよう形状的工夫が施されると良い（図５参照）。
【００５１】
このように、本実施例に係る冷凍冷蔵庫１００によると、輻射板１３１ａ，１３３とサクションパイプ２１との間に、伝熱経路が形成されることとなる。そして、サクションパイプ２１の温度が野菜室用の設定温度近傍とされることから、輻射材１３１ａ，１３３の温度は、青果物を輻射冷却するにあたり好適な温度とされ、これが長時間維持されることとなる。このため、本実施例では、「温度監視に基づく冷却方式設定」による制御を行う場合、野菜室１３０での温度上昇が抑えられることに伴い、循環冷却式による設定時間が低下する一方、輻射冷却式による設定時間が増加し庫内湿度が保全される。即ち、青果物の鮮度は、この湿度保全によって好適に保たれる。
【００５２】
特に、潜熱温度を＋１０℃前後とさせた蓄熱材を金属塊２００に内蔵させることで、当該金属塊２００による温度制御作用が良質に発揮されることとなる。このため、輻射冷却式の設定時間の割合が高くなり、青果物周辺における湿度がより好適に保たれる。
【００５３】
尚、本実施例では、金属塊２００と輻射板１３１ａ，１３３とが接続された場合について説明されている。しかし、金属塊２００が冷凍冷蔵庫１００に構成されないような場合、サクションパイプ２１と輻射板１３１ａ，１３３とを直接接続させ、これにより、伝熱経路を形成させるようにしても良い。かかる冷凍冷蔵庫にあっても、輻射冷却式による設定時間が増加して庫内湿度が保全され、青果物の鮮度が好適に保たれる。
【００５４】
図５に戻り、本実施例に係る冷凍冷蔵庫について説明を続ける。本実施例では、サクションパイプ２１が背面ダクト１７０（特許請求の範囲におけるダクト部）内で冷気に接触するよう配置される。この場合、サクションパイプ２１は、冷気との熱交換によって其の表面温度が冷却されることとなる。このため、冷凍冷蔵庫１００では、輻射板１３１ａ，１３３での吸熱作用が高くなり、青果物等の熱負荷が大きくても、輻射冷却式による設定時間の減少を最小限に抑えることができる。
【００５５】
また、同図によると、サクションパイプ２１及びキャピラリ―チューブ５０は、互いに接触し熱交換を行う区間（以下、熱交換区間と呼ぶ）が形成される。当該熱交換区間は、接触面積を増やす為に弦巻状に配管どうしを沿わせるなどして、互いに熱量の授受が行われる。そして、これらは、断熱パイプ又は伝熱テープ等といった熱交換促進材１０２ａを擁して、パネル断熱材（ウレタン等）の内部構造として収容される。
【００５６】
図６は、冷凍サイクルが示されたモリエル線図である。ここでは冷凍サイクルが示されており、「点１’→点２’→点３→点４’→点１’」が熱交換区間を具備しない場合の冷凍サイクルであって、「点１→点２→点３→点４→点１」が本実施例に係る冷凍サイクルである。以下、点１での比エンタルピーをｈ１と呼び、同様に、これら比エンタルピーは、点２でｈ２，点３でｈ３，及び，点４でｈ４と呼ぶことがある。
【００５７】
図示の如く、本実施例に係る冷凍サイクルでは、サクションパイプ２１によってキャピラリ―チューブ５０の熱量が吸収されるので、これに伴い、点４での比エンタルピーｈが低下することとなる。即ち、コンプレッサ用のモータ動力が同じであっても、本実施例では、「ｈ１−ｈ４」が増加することになり、これにより、ＣＯＰ値を向上させるようになる。
【００５８】
これとは逆に、サクションパイプ２１では、キャピラリ―チューブ５０から熱量を受けるので、点１での比エンタルピーが増加することになる。これによれば、冷媒の熱力学状態が湿り気蒸気域から過熱蒸気域へと移るようになる為、点１での冷媒は、全てが蒸気状態とされ、液体冷媒を含むことはなくなる。従って、かかる運転状態にあっては、冷却機用コンプレッサ３０への「液戻り」を起こすこともなくなり、装置のショック音及び振動といった不具合を回避できる。特筆すべきは、野菜室１３０での熱負荷が大きい場合、サクションパイプ２１での吸熱量が増加することになるので、点１では、比エンタルピーの増加に関する効果が更に顕在化する。
【００５９】
また、サクションパイプ等の配管は、其の長さが有限である性質上、上述した熱交換区間の距離に制限が与えられる場合もある。従って、其の熱交換区間では十分な比エンタルピーの調整が図れない場合、サクションパイプ２１と金属塊２００との接触面積を増やす等して、これを補うといったことも可能となる。
【符号の説明】
【００６０】
１００  冷凍冷蔵庫，    １１０  冷凍室（循環冷却式貯蔵室），    １２０冷蔵室（循環冷却式貯蔵室），    １２１  冷蔵室用開閉扉，    １２１ａ〜１２１ｂ  ドアポケット，    １３０野菜室（輻射冷却式冷蔵室），    １３１ａ  トレイ一体型輻射板，    １３３  中仕切型輻射板，    １５０  仕切部，    １５４  貯蔵物配置面，    １５５  ドアポケット対面部位，    １６１  導引冷気制限部，    １６３  戻し冷気制限部，    １７０  背面ダクト，    １８１  冷気導引経路，    １８２  冷気戻し経路，    ２００  金属塊，    ２０  エバポレータ，    ３０  冷却機用コンプレッサ，    ５０  キャピラリ―チューブ。
【図１】
2014153018.tif 000003
【図２】
2014153018.tif 000004
【図３】
2014153018.tif 000005
【図４】
2014153018.tif 000006
【図５】
2014153018.tif 000007
【図６】
2014153018.tif 000008